(57)【要約】【課題】情報表示装置と専用のメガネの各色ごとの偏光方向の設定が一致した場合にのみ、情報表示装置に表示されている所望の画像を視認できるようにすること。【解決手段】情報表示システムにおいて、情報表示装置１は、表示部３及び制御部４を有する。表示部３は、視差バリア方式によって左目が視認する左目用画像及び右目が視認する右目用画像を表示する。制御部４は、表示部３に、左目用画像及び右目用画像を、輝度が反転した関係、または、直線偏光の場合には偏光方向が直交もしくは円偏光の場合には回転方向が逆になるように表示させる。メガネ２は、偏光制御部５及び偏光部６を有する。偏光制御部５は、各色ごとに偏光方向を制御する。偏光部６は、左目が視認する画像と右目が視認する画像とで、直線偏光の場合には偏光方向を直交もしくは円偏光の場合には回転方向を逆にする。【選択図】図１
2015118191.tif 000002
【特許請求の範囲】
【請求項１】
視差バリア方式によって左目が視認する左目用画像及び右目が視認する右目用画像を、輝度が反転した関係、または、直線偏光の場合には偏光方向が直交もしくは円偏光の場合には回転方向が逆になるように表示する情報表示装置と、
左目が視認する画像と右目が視認する画像とで、直線偏光の場合には偏光方向が直交もしくは円偏光の場合には回転方向が逆であり、かつ、各色ごとに偏光方向を制御するメガネと、
を備えることを特徴とする情報表示システム。
【請求項２】
前記情報表示装置は、
第１の偏光方向の直線偏光が透過する第１の偏光部と、
前記第１の偏光部を透過した光の輝度を各色ごとに調整可能な第１の画像表示部と、
前記第１の画像表示部に前記左目用画像及び前記右目用画像を輝度が反転した関係になるように表示させる制御部と、
を備えることを特徴とする請求項１に記載の情報表示システム。
【請求項３】
前記情報表示装置は、
前記第１の偏光方向に直交する第２の偏光方向の直線偏光が透過する第２の偏光部と、
前記第２の偏光部と前記第１の偏光部との間に配置され、かつ、前記第２の偏光部を透過した光の輝度を各色ごとに調整可能な第２の画像表示部と、をさらに備え、
前記制御部は、第１の表示モード時には、前記第１の画像表示部に全光を透過させ、かつ、前記第２の画像表示部に前記左目用画像及び前記右目用画像を同じ画像になるように表示させ、第２の表示モード時には、前記第２の画像表示部に全光を透過させ、かつ、前記第１の画像表示部に前記左目用画像及び前記右目用画像を輝度が反転した関係になるように表示させることを特徴とする請求項２に記載の情報表示システム。
【請求項４】
前記情報表示装置は、
第１の偏光方向の直線偏光が透過する第１の偏光部と、
前記第１の偏光方向の直線偏光が透過する第１の偏光部分と前記第１の偏光方向に直交する第２の偏光方向の直線偏光が透過する第２の偏光部分とが走査線ごとに交互に配置された第２の偏光部と、
前記第１の偏光部と前記第２の偏光部との間に配置され、かつ、前記第１の偏光部を透過した光の輝度を各色ごとに調整可能な画像表示部と、
前記画像表示部に、前記左目用画像及び前記右目用画像を、直線偏光の場合には偏光方向が直交もしくは円偏光の場合には回転方向が逆になり、かつ、前記左目用画像及び前記右目用画像のそれぞれにおいて前記第１の偏光部分を透過した光及び前記第２の偏光部分を透過した光を輝度が反転した関係になるように表示させる制御部と、
を備えることを特徴とする請求項１に記載の情報表示システム。
【請求項５】
前記制御部は、前記画像表示部に、前記左目用画像及び前記右目用画像を同じ画像になり、かつ、前記左目用画像及び前記右目用画像のそれぞれにおいて前記第１の偏光部分を透過した光及び前記第２の偏光部分を透過した光の強度が同じになるように表示させることを特徴とする請求項４に記載の情報表示システム。
【請求項６】
視差バリア方式によって左目が視認する左目用画像及び右目が視認する右目用画像を表示する表示部と、
前記表示部に、前記左目用画像及び前記右目用画像を、輝度が反転した関係、または、直線偏光の場合には偏光方向が直交もしくは円偏光の場合には回転方向が逆になるように表示させる制御部と、
を備えることを特徴とする情報表示装置。
【請求項７】
左目が視認する画像と右目が視認する画像とで、直線偏光の場合には偏光方向を直交もしくは円偏光の場合には回転方向を逆にする偏光部と、
各色ごとに偏光方向を制御する偏光制御部と、
を備えることを特徴とするメガネ。
【発明の詳細な説明】
【技術分野】
【０００１】
この発明は、情報表示システム、情報表示装置及びメガネに関する。
【背景技術】
【０００２】
従来、液晶セルの表示画像を人体に装着可能な偏光板を通して見る画面秘匿機能を具えた液晶表示装置がある。この液晶表示装置の液晶表示装置本体では、液晶セルの画像表示面に偏光板が取り付けられていない。そして、液晶表示装置本体の前面に１／４波長板が取り付けられているとともに、人体に装着可能な偏光板の液晶表示装置本体と対向する面に１／４波長板が取り付けられている（例えば、特許文献１参照）。
【先行技術文献】
【特許文献】
【０００３】
【特許文献１】特開平５−３１３１４６号公報
【発明の概要】
【発明が解決しようとする課題】
【０００４】
しかしながら、従来の画面秘匿機能を具えた液晶表示装置では、１／４波長板と偏光板とを有するメガネやプレートを装着すれば、誰でも液晶セルの画像表示面に表示されている画像を見ることができるという問題点があった。
【０００５】
情報表示装置と専用のメガネの各色ごとの偏光方向の設定が一致した場合にのみ、情報表示装置に表示されている所望の画像を視認することができる情報表示システム、情報表示装置及びメガネを提供することを目的とする。
【課題を解決するための手段】
【０００６】
この情報表示システムは、情報表示装置とメガネとを備える。情報表示装置は、視差バリア方式によって左目が視認する左目用画像及び右目が視認する右目用画像を、輝度が反転した関係、または、直線偏光の場合には偏光方向が直交もしくは円偏光の場合には回転方向が逆になるように表示する。メガネは、左目が視認する画像と右目が視認する画像とで、直線偏光の場合には偏光方向が直交もしくは円偏光の場合には回転方向が逆であり、かつ、各色ごとに偏光方向を制御する。
【発明の効果】
【０００７】
この情報表示システム、情報表示装置及びメガネによれば、情報表示装置と専用のメガネの各色ごとの偏光方向の設定が一致した場合にのみ、情報表示装置に表示されている所望の画像を視認することができるという効果を奏する。
【図面の簡単な説明】
【０００８】
【図１】図１は、実施の形態にかかる情報表示システムの一例、情報表示装置の第１の例及びメガネの第１の例を示す図である。
【図２】図２は、図１に示す情報表示システムにおける画像データ及び光の流れを示す図である。
【図３】図３は、輝度反転の関係を説明する図である。
【図４】図４は、実施の形態にかかる情報表示装置の第２の例における表示部の構成を示す図である。
【図５】図５は、実施の形態にかかる情報表示装置の第２の例におけるハードウェア構成を示す図である。
【図６】図６は、実施の形態にかかる情報表示装置の第２の例における機能的構成を示す図である。
【図７】図７は、実施の形態にかかる情報表示装置の第２の例における動作を示す図である。
【図８】図８は、実施の形態にかかるメガネの第２の例の外観を示す図である。
【図９】図９は、実施の形態にかかるメガネの第２の例におけるレンズ部の構成を示す図である。
【図１０】図１０は、実施の形態にかかるメガネの第２の例におけるハードウェア構成を示す図である。
【図１１】図１１は、実施の形態にかかるメガネの第２の例における機能的構成を示す図である。
【図１２】図１２は、実施の形態にかかるメガネの第２の例における動作を示す図である。
【図１３】図１３は、実施の形態にかかる情報表示システムにおける表示の見え方の第１の例を示す図である。
【図１４】図１４は、実施の形態にかかる情報表示システムにおける表示の見え方の第２の例を示す図である。
【図１５】図１５は、実施の形態にかかる情報表示装置の第３の例における表示部の構成を示す図である。
【図１６】図１６は、実施の形態にかかる情報表示装置の第３の例におけるハードウェア構成を示す図である。
【図１７】図１７は、実施の形態にかかる情報表示装置の第３の例における機能的構成を示す図である。
【図１８】図１８は、実施の形態にかかる情報表示装置の第３の例における動作を示す図である。
【図１９】図１９は、実施の形態にかかる情報表示システムにおける表示の見え方の第３の例を示す図である。
【発明を実施するための形態】
【０００９】
以下に添付図面を参照して、この情報表示システム、情報表示装置及びメガネの好適な実施の形態を詳細に説明する。以下の各実施例の説明においては、同様の構成要素には同一の符号を付して、重複する説明を省略する。
【００１０】
・情報表示システムの一例、情報表示装置の第１の例及びメガネの第１の例
図１は、実施の形態にかかる情報表示システムの一例、情報表示装置の第１の例及びメガネの第１の例を示す図である。図２は、図１に示す情報表示システムにおける画像データ及び光の流れを示す図である。
【００１１】
図１及び図２に示すように、情報表示システムは、情報表示装置１及びメガネ２を有する。情報表示装置１は、視差バリア方式によって左目が視認する左目用画像及び右目が視認する右目用画像を、輝度が反転した関係、または、直線偏光の場合には偏光方向が直交もしくは円偏光の場合には回転方向が逆になるように表示する。
【００１２】
メガネ２は、左目が視認する画像と右目が視認する画像とで、直線偏光の場合には偏光方向が直交もしくは円偏光の場合には回転方向が逆であり、かつ、各色ごとに偏光方向を制御する。メガネ２には、情報表示装置１から出射された光が入射する。情報表示装置１の使用者は、このメガネ２を通して、情報表示装置１に表示された画像を視認する。
【００１３】
例えば、情報表示装置１は、表示部３及び制御部４を有していてもよい。表示部３は、左目用画像及び右目用画像を表示する。液晶パネルは、表示部３の一例である。制御部４は、表示部３に、左目用画像及び右目用画像を、輝度が反転した関係、または、直線偏光の場合には偏光方向が直交もしくは円偏光の場合には回転方向が逆になるように表示させる。ＣＰＵやＤＳＰなどのプロセッサ及びこれらのプロセッサで実行されるプログラムは、制御部４の一例である。
【００１４】
例えば、メガネ２は、偏光制御部５及び偏光部６を有していてもよい。偏光制御部５は、各色ごとに偏光方向を制御する。液晶パネルは、偏光制御部５の一例である。偏光部６は、例えば、偏光制御部５前段に設けられる１／４波長板と、偏光制御部５後段に設けられる偏光板を用いることができる。これら偏向制御部５と偏光部６により、左目が視認する画像と右目が視認する画像とで、直線偏光の場合には偏光方向を直交もしくは円偏光の場合には回転方向を逆にする。
【００１５】
偏光制御部５、および偏光部６を用いることにより、メガネ２に入射した光は、各色ごとに偏光方向が制御され、直線偏光の場合には偏光方向が直交もしくは円偏光の場合には回転方向が逆になるようにされてもよい。あるいは、メガネ２に入射した光は、直線偏光の場合には偏光方向が直交もしくは円偏光の場合には回転方向が逆になるようにされてから、各色ごとに偏光方向を制御されてもよい。
【００１６】
図３は、輝度反転の関係を説明する図である。図３には、ＴＮ液晶（Ｔｗｉｓｔｅｄ  Ｎｅｍａｔｉｃ  ｌｉｑｕｉｄ  ｃｒｙｓｔａｌ、ねじれネマティック液晶）の透過特性が示されている。図３において、縦軸は光の透過率であり、横軸は液晶分子のねじれ角である。実線で示す曲線は、ＴＮ液晶の光入力側の偏光板と光出力側の偏光板との偏光方向が直交する場合の特性であり、破線で示す曲線は、ＴＮ液晶の光入力側の偏光板と光出力側の偏光板との偏光方向が平行である場合の特性である。
【００１７】
図３に示すように、本実施例における「輝度を反転した関係」とは、液晶分子のあるねじれ角における実線で示す曲線上の透過率と、液晶分子の同じねじれ角における破線で示す曲線上の透過率との関係のことである。これは、ある輝度を実現するよう偏光方向の回転角度を変化させることと同じである。つまり、ある輝度を実現する偏光方向の回転角度とすることによって、そのある輝度に対して反転した関係にある輝度を得ることができる。
【００１８】
また、図３において、点線で示す直線は、ＴＮ液晶の光入力側にのみ偏光板があり、光出力側に偏光板がない場合の特性である。光出力側に偏光板がない場合には、液晶分子のねじれ角にかかわらず、一定の透過率となる。例えば、液晶の光出力側に偏光板がない場合には、液晶の光出力側で透過する偏光方向が制限されないため、全光が透過する状態となる。
【００１９】
図１に示す情報表示システム、情報表示装置１及びメガネ２によれば、情報表示装置１に左目用画像及び右目用画像が、輝度が反転した関係になるように表示されるか、または直線偏光の場合には偏光方向が直交もしくは円偏光の場合には回転方向が逆になるように表示される。そのため、メガネ２で各色ごとに偏光方向を制御することによって、情報表示装置１とメガネ２の各色ごとの偏光方向の設定が一致した場合にのみ、メガネ２を通して、情報表示装置１に表示されている所望の画像を視認することができる。
【００２０】
一方、左右の目で、直線偏光の場合には偏光方向が同じもしくは円偏光の場合には回転方向が同じであるメガネを通して見ると、左右の目で輝度が反転されて見えるため、打ち消しあって全面が単一色に見える。つまり、左右の目で、直線偏光の場合には偏光方向が同じもしくは円偏光の場合には回転方向が同じであるメガネを通して見ても、情報表示装置１に表示されている画像を視認することができない。
【００２１】
・情報表示装置の第２の例
図４は、実施の形態にかかる情報表示装置の第２の例における表示部の構成を示す図である。図４に示すように、表示部３は、視差バリア１１、１／４波長板１２、カラーフィルタ１３、第１の透明電極アレイ１４、第１の液晶パネル１５、透明電極１６、第１の偏光板１７、第２の液晶パネル１８、第２の透明電極アレイ１９、第２の偏光板２０及びバックライト２１を有する。
【００２２】
バックライト２１は、表示部３の背面に設けられている。バックライト２１は、例えば非偏光を表示部３の前面に向けて出射し、表示部３を背面側から照明する。
【００２３】
第２の偏光板２０は、例えばバックライト２１の前面に設けられている。第２の偏光板２０は、バックライト２１から出射された光のうち、ある偏光方向の直線偏光を透過させる。第２の偏光板２０が透過させる直線偏光の偏光方向を第２の偏光方向とする。第２の偏光板２０は、第２の偏光部の一例である。
【００２４】
第２の透明電極アレイ１９は、例えば第２の偏光板２０の前面に設けられている。第２の透明電極アレイ１９は、第２の液晶パネル１８の例えば赤色、緑色及び青色の各サブ画素ごとに電極を有する。
【００２５】
第２の液晶パネル１８は、例えば第２の透明電極アレイ１９の前面に設けられている。第２の液晶パネル１８は、各サブ画素ごとに、印加される電圧に応じて液晶分子のねじれ角が変化する。それによって、第２の偏光板２０を透過した光の偏光方向が液晶分子のねじれ角に応じてサブ画素ごとに回転し、第２の偏光板２０を透過した光の輝度がサブ画素ごとに変化する。
【００２６】
第１の偏光板１７は、例えば第２の液晶パネル１８の前面に設けられている。第１の偏光板１７は、第２の液晶パネル１８を透過した光のうち、第２の偏光方向に直交する第１の偏光方向の直線偏光を透過させる。図４に示す例では、第１の偏光方向が水平方向であり、第２の偏光方向が垂直方向であるが、この逆であってもよいし、第１の偏光方向と第２の偏光方向とが直交する関係にあれば、水平方向と垂直方向との組み合わせに限らない。第１の偏光板１７は、第１の偏光部の一例である。
【００２７】
透明電極１６は、例えば第１の偏光板１７の前面に設けられている。透明電極１６は、例えばグランド電位にされる。透明電極１６と第２の透明電極アレイ１９の各電極との間の電位差によって、第２の液晶パネル１８の各サブ画素の液晶分子に電圧が印加され、その印加電圧に応じて第２の液晶パネル１８の液晶分子のねじれ角が変化する。透明電極１６、第２の液晶パネル１８及び第２の透明電極アレイ１９は、第２の画像表示部２７の一例である。
【００２８】
第１の液晶パネル１５は、例えば透明電極１６の前面に設けられている。第１の液晶パネル１５は、各サブ画素ごとに、印加される電圧に応じて各サブ画素の液晶分子のねじれ角が変化する。それによって、第１の偏光板１７を透過した光の偏光方向が液晶分子のねじれ角に応じてサブ画素ごとに回転し、第１の偏光板１７を透過した光の輝度がサブ画素ごとに変化する。
【００２９】
第１の液晶パネル１５及び第２の液晶パネル１８は、例えば電圧が印加されていないときに光を透過し、電圧が印加されているときに光を遮断するノーマリーホワイトのＴＮ型液晶パネルであってもよい。なお、ノーマリーホワイトのＴＮ型液晶パネルに代えて、電圧が印加されていないときに光を遮断し、電圧が印加されているときに光を透過するノーマリーブラックのＩＰＳ（Ｉｎ−Ｐｌａｎｅ−Ｓｗｉｔｃｈｉｎｇ）型またはＶＡ（Ｖｅｒｔｉｃａｌ  Ａｌｉｇｎｍｅｎｔ）型の液晶パネルを用いることもできる。本実施例では、第１の液晶パネル１５及び第２の液晶パネル１８がノーマリーホワイトのＴＮ型液晶パネルであるとする。
【００３０】
第１の透明電極アレイ１４は、例えば第１の液晶パネル１５の前面に設けられている。第１の透明電極アレイ１４は、第１の液晶パネル１５の例えば赤色、緑色及び青色の各サブ画素ごとに電極を有する。第１の透明電極アレイ１４の各電極と透明電極１６との間の電位差によって、第１の液晶パネル１５の各サブ画素の液晶分子に電圧が印加され、その印加電圧に応じて第１の液晶パネル１５の液晶分子のねじれ角が変化する。第１の透明電極アレイ１４、第１の液晶パネル１５及び透明電極１６は、第１の画像表示部２６の一例である。
【００３１】
カラーフィルタ１３は、例えば第１の透明電極アレイ１４の前面に設けられている。カラーフィルタ１３は、第１の液晶パネル１５及び第２の液晶パネル１８の各サブ画素に対応した例えば赤色、緑色及び青色の着色部を有し、各着色部に対応する色のみを透過する。
【００３２】
１／４波長板１２は、例えばカラーフィルタ１３の前面に設けられている。１／４波長板１２は、カラーフィルタ１３を透過した直線偏光を円偏光に変換する。
【００３３】
視差バリア１１は、例えば１／４波長板１２の前面で、表示部３の最も前面に設けられている。表示部３は、視差バリア方式で画像を表示するため、左目用画像と右目用画像とをそれぞれ細かく短冊状に分割して、短冊状の左目用画像と短冊状の右目用画像とを交互に並べて表示する。視差バリア１１は、表示部３に表示される画像を見ている人の左目に左目用画像のみが見え、右目に右目用画像のみが見えるように、左目に対しては右目用画像を遮り、右目に対しては左目用画像を遮る。なお、表示部３に含まれる各要素１１〜２１の順序は、適宜変更可能である。
【００３４】
図５は、実施の形態にかかる情報表示装置の第２の例におけるハードウェア構成を示す図である。図５に示すように、情報表示装置１は、例えばＣＰＵ（Ｃｅｎｔｒａｌ  Ｐｒｏｃｅｓｓｉｎｇ  Ｕｎｉｔ、中央処理装置）３２、ＤＳＰ（Ｄｉｇｉｔａｌ  Ｓｉｇｎａｌ  Ｐｒｏｃｅｓｓｏｒ、ディジタルシグナルプロセッサ）３７及びメモリ３８がバス３９に接続された構成を有していてもよい。
【００３５】
ＣＰＵ３２には、インタフェース３１が接続されていてもよい。ＤＳＰ３７には、第１の駆動回路３４及び第２の駆動回路３６が接続されていてもよい。第１の駆動回路３４には、第１の液晶ディスプレイ３３が接続されていてもよい。第２の駆動回路３６には、第２の液晶ディスプレイ３５が接続されていてもよい。図５では、第１の駆動回路３４、第２の駆動回路３６、第１の液晶ディスプレイ３３及び第２の液晶ディスプレイ３５は、それぞれ、駆動回路＃１、駆動回路＃２、液晶ディスプレイ＃１及び液晶ディスプレイ＃２と表記されている。
【００３６】
インタフェース３１は、例えばタッチパネルを備えた表示パネル、スイッチ、ボタン、キーボード、マウスなどのポインティングデバイスまたは音声入力用のマイクであってもよい。インタフェース３１を介して、情報表示装置１の使用者からＣＰＵ３２に表示モードや、輝度を反転させるサブ画素の色の設定が入力される。ＣＰＵ３２は、インタフェース３１からの入力に基づいて、表示モードや、輝度を反転させるサブ画素の色を制御する。
【００３７】
メモリ３８は、ＣＰＵ３２で実行されるプログラムを記憶している。また、メモリ３８は、ＣＰＵ３２の作業領域として用いられる。また、メモリ３８は、ＤＳＰ３７で実行されるプログラムを格納していてもよい。なお、ＣＰＵ３２及びＤＳＰ３７は、それぞれ内部のメモリに自身が実行するプログラムを記憶していてもよい。
【００３８】
ＤＳＰ３７は、第１の液晶ディスプレイ３３及び第２の液晶ディスプレイ３５に表示する画像の画像データを生成する。ＤＳＰ３７は、生成した画像データに基づいて、第１の駆動回路３４及び第２の駆動回路３６に画像データを出力する。
【００３９】
第１の駆動回路３４は、ＤＳＰ３７から出力された画像データに基づいて、第１の液晶ディスプレイ３３を駆動する。第１の液晶ディスプレイ３３は、第１の駆動回路３４から出力された駆動信号によって画像を表示する。第１の液晶ディスプレイ３３は、第１の画像表示部２６である。
【００４０】
第２の駆動回路３６は、ＤＳＰ３７から出力された画像データに基づいて、第２の液晶ディスプレイ３５を駆動する。第２の液晶ディスプレイ３５は、第２の駆動回路３６から出力された駆動信号によって画像を表示する。第２の液晶ディスプレイ３５は、第２の画像表示部２７である。
【００４１】
図６は、実施の形態にかかる情報表示装置の第２の例における機能的構成を示す図である。図６に示すように、情報表示装置１は、表示部３に第１の画像表示部２６及び第２の画像表示部２７を有し、第１のディスプレイ駆動部４２及び第２のディスプレイ駆動部４１を有する。また、情報表示装置１は、制御部４に例えばディスプレイ駆動信号切替部４３、右目用／左目用画像データ生成部４４及び画像データ生成部４５を有していてもよい。
【００４２】
また、情報表示装置１は、例えば入力インタフェース部４６、表示モード設定信号生成部４７及び反転サブ画素色設定信号生成部４８を有していてもよい。図６では、第１のディスプレイ駆動部４２、第２のディスプレイ駆動部４１、第１の画像表示部２６、第２の画像表示部２７及び入力インタフェース部４６は、それぞれ、ディスプレイ駆動部＃１、ディスプレイ駆動部＃２、画像表示部＃１、画像表示部＃２及び入力Ｉ／Ｆ部と表記されている。
【００４３】
入力インタフェース部４６は、情報表示装置１の使用者からの表示モードの設定や、輝度を反転させるサブ画素の色の設定の入力を司る。入力インタフェース部４６は、インタフェース３１によって実現されてもよい。例えば、タッチパネル式の表示部３に、表示モードを設定するメニュー画面や、輝度を反転させるサブ画素の色を設定するメニュー画面が表示され、情報表示装置１の使用者が、表示モードを選択したり、輝度を反転させるサブ画素の色を選択するようになっていてもよい。あるいは、情報表示装置１にスイッチやボタンが設けられており、情報表示装置１の使用者がそのスイッチやボタンを操作することによって、表示モードを設定したり、輝度を反転させるサブ画素の色を設定するようになっていてもよい。
【００４４】
表示モード設定信号生成部４７は、入力インタフェース部４６からの表示モードの設定内容に基づいて、表示モード設定信号を生成する。例えば、表示モード設定信号は、表示モードの設定が通常表示モードである場合には、第１のレベルの信号であり、表示モードの設定がセキュリティ表示モードである場合には、第２のレベルの信号であってもよい。第１のレベルの信号及び第２のレベルの信号は、例えば一方が「０」であり、他方が「１」であってもよい。表示モード設定信号生成部４７は、ＣＰＵ３２によって実現されてもよい。
【００４５】
反転サブ画素色設定信号生成部４８は、入力インタフェース部４６からの輝度を反転させるサブ画素の色の設定内容に基づいて、反転サブ画素色設定信号を生成する。例えば、反転サブ画素色設定信号は、例えば赤色、緑色及び青色のそれぞれについて、輝度を反転させない場合には、第１のレベルの信号であり、輝度を反転させる場合には、第２のレベルの信号であってもよい。第１のレベルの信号及び第２のレベルの信号は、例えば一方が「０」であり、他方が「１」であってもよい。反転サブ画素色設定信号生成部４８は、ＣＰＵ３２によって実現されてもよい。
【００４６】
画像データ生成部４５は、例えば表示部３に表示する画像の画像データを生成する。画像データ生成部４５によって生成された画像データを第２の画像表示部２７に表示させると、右目用画像及び左目用画像が同じ画像になる。画像データ生成部４５は、ＤＳＰ３７によって実現されてもよい。
【００４７】
ディスプレイ駆動信号切替部４３は、表示モード設定信号に基づいて、第２のディスプレイ駆動部４１へ出力する信号を切り替える。例えば、表示モード設定信号が通常表示モードを示す信号である場合には、ディスプレイ駆動信号切替部４３は、画像データ生成部４５によって生成された画像データを出力する。一方、表示モード設定信号がセキュリティ表示モードを示す信号である場合には、ディスプレイ駆動信号切替部４３は、全画素について全光を透過させて白色を表示する信号を出力する。ディスプレイ駆動信号切替部４３は、ＤＳＰ３７によって実現されてもよい。
【００４８】
右目用／左目用画像データ生成部４４は、表示モード設定信号に基づいて、第１のディスプレイ駆動部４２へ出力する信号を切り替える。例えば、表示モード設定信号が通常表示モードを示す信号である場合には、右目用／左目用画像データ生成部４４は、全画素について全光を透過させて白色を表示する信号を出力する。一方、表示モード設定信号がセキュリティ表示モードを示す信号である場合には、右目用／左目用画像データ生成部４４は、反転サブ画素色設定信号に基づいて、画像データ生成部４５によって生成された画像データから、右目用画像と左目用画像とで輝度が反転するように右目用の画像データと左目用の画像データとを生成して出力する。
【００４９】
例えば、右目用画像において、赤色のサブ画素の輝度が反転し、緑色及び青色のサブ画素の輝度は反転しないようにし、左目用画像において、緑色及び青色のサブ画素の輝度が反転し、赤色のサブ画素の輝度は反転しないようにすれば、右目用画像と左目用画像とで輝度が反転した関係となる。左右の目の画像において輝度を反転させる組み合わせは、上述した赤色と、緑色及び青色との組み合わせに限らず、緑色と、赤色及び青色との組み合わせや、青色と、赤色及び緑色との組み合わせであってもよい。右目用／左目用画像データ生成部４４は、ＤＳＰ３７によって実現されてもよい。
【００５０】
第１のディスプレイ駆動部４２は、右目用／左目用画像データ生成部４４から出力された右目用の画像データ及び左目用の画像データ、または白色を表示する信号に基づいて、第１の画像表示部２６に駆動信号を出力する。第１の画像表示部２６は、第１のディスプレイ駆動部４２から出力された駆動信号に基づいて、右目用画像及び左目用画像、または白色を表示する。第１のディスプレイ駆動部４２は、第１の駆動回路３４によって実現されてもよい。
【００５１】
第２のディスプレイ駆動部４１は、ディスプレイ駆動信号切替部４３から出力された画像データ、または白色を表示する信号に基づいて、第２の画像表示部２７に駆動信号を出力する。第２の画像表示部２７は、第２のディスプレイ駆動部４１から出力された駆動信号に基づいて、右目用画像と左目用画像とが同じ画像、または白色を表示する。第２のディスプレイ駆動部４１は、第２の駆動回路３６によって実現されてもよい。
【００５２】
図７は、実施の形態にかかる情報表示装置の第２の例における動作を示す図である。図７に示すように、例えば情報表示装置１の使用者が情報表示装置１の電源をオンにするか、情報表示装置１をリセットするか、情報表示装置１の使用中に再設定を開始すると、使用者は、入力インタフェース部４６から表示モードを選択する。
【００５３】
また、使用者は、セキュリティ表示モードを選択した場合、入力インタフェース部４６から輝度を反転させるサブ画素の色を選択する。本実施例では、セキュリティ表示モードである場合の説明において、輝度を反転させるサブ画素の色として例えば赤色が選択されたとして説明する。
【００５４】
使用者によって選択された表示モードが通常表示モードである場合（ステップＳ１：通常表示モード）、表示モード設定信号生成部４７は、通常表示モードを示す表示モード設定信号を生成する。それによって、ディスプレイ駆動信号切替部４３及び右目用／左目用画像データ生成部４４が通常表示モードに設定される（ステップＳ２）。
【００５５】
そして、ディスプレイ駆動信号切替部４３は、画像データ生成部４５によって生成された画像データを第２のディスプレイ駆動部４１へ出力する（ステップＳ３）。また、右目用／左目用画像データ生成部４４は、全画素について全光を透過させて白色を表示する信号を第１のディスプレイ駆動部４２へ出力する（ステップＳ４）。
【００５６】
それによって、第２の画像表示部２７に表示された右目用画像と左目用画像とが同じであり、その右目用画像と左目用画像とが第１の画像表示部２６を透過するため、図４に示す表示部３は、視差バリア１１を通して右目用画像と左目用画像とで同じ画像を表示する。なお、ステップＳ３とステップＳ４とは、並行して行われてもよい。
【００５７】
そして、情報表示装置１は、一連の動作を終了する。これ以降、表示モードがセキュリティ表示モードに切り替えられるまで、情報表示装置１は通常表示モードを維持してもよい。通常表示モードでは、右目用画像と左目用画像とが同じ画像であるため、情報表示装置１の使用者は、裸眼で視差バリア１１を通して表示部３に表示されている所望の画像を視認することができる。
【００５８】
一方、セキュリティ表示モードが選択された場合（ステップＳ１：セキュリティ表示モード）、表示モード設定信号生成部４７は、セキュリティ表示モードを示す表示モード設定信号を生成する。それによって、ディスプレイ駆動信号切替部４３及び右目用／左目用画像データ生成部４４がセキュリティ表示モードに設定される（ステップＳ５）。
【００５９】
そして、ディスプレイ駆動信号切替部４３は、全画素について全光を透過させて白色を表示する信号を第２のディスプレイ駆動部４１へ出力する（ステップＳ６）。また、右目用／左目用画像データ生成部４４は、反転サブ画素色設定信号に基づいて、画像データ生成部４５によって生成された画像データから、右目用画像と左目用画像とで輝度が反転するように右目用の画像データと左目用の画像データとを生成する（ステップＳ７）。
【００６０】
例えば、輝度を反転させるサブ画素の色として赤色が選択された場合、右目用の画像データでは、赤色のサブ画素の輝度が反転し、緑色及び青色のサブ画素の輝度は反転しない。また、左目用の画像データでは、緑色及び青色のサブ画素の輝度が反転し、赤色のサブ画素の輝度は反転しない。
【００６１】
次いで、右目用／左目用画像データ生成部４４は、生成した右目用の画像データと左目用の画像データとを第１のディスプレイ駆動部４２へ出力する（ステップＳ８）。それによって、図４に示す表示部３において、右目用画像と左目用画像とで輝度が反転した関係となる。なお、ステップＳ６とステップＳ７及びステップＳ８とは、並行して行われてもよい。
【００６２】
そして、情報表示装置１は、一連の動作を終了する。これ以降、表示モードが通常表示モードに切り替えられるまで、情報表示装置１はセキュリティ表示モードを維持してもよい。
【００６３】
セキュリティ表示モードにおいて、輝度を反転させるサブ画素の色として例えば赤色が選択された場合、カラーフィルタ１３を透過した各色の光の偏光方向は、次の（１）式で表される。なお、α（ｔ）、β（ｔ）及びγ（ｔ）は、それぞれ、画像データ生成部４５によって生成された画像データにおける時刻ｔのときの赤色、緑色及び青色の偏光方向である。
【００６４】
左目用画像
赤色：α（ｔ）
緑色：π／２−β（ｔ）
青色：π／２−γ（ｔ）
右目用画像
赤色：π／２−α（ｔ）
緑色：β（ｔ）
青色：γ（ｔ）          ・・・（１）
【００６５】
図４に示すように、表示部３には、第１の液晶パネル１５よりも前面側に偏光板が設けられていない。そのため、セキュリティ表示モードで動作している情報表示装置１の表示部３を見る者が裸眼で見ると、第１の液晶パネル１５を透過した全ての方向の偏光が裸眼で見る者の目に到達する。従って、表示部３が全面、白色に見える。つまり、裸眼で見る者は、情報表示装置１に表示されている所望の画像を視認することができない。
【００６６】
また、セキュリティ表示モードで動作している情報表示装置１の表示部３を見る者が、左目と右目とで同じ偏光方向の偏光板を有するメガネをかけて見ると、左目が視認する画像と右目が視認する画像とで輝度が反転した画像となるため、打ち消しあう。それによって、上述した（１）式に基づいて次の（２）式で導かれるように、赤色、緑色及び青色の透過光強度が一定となる。従って、表示部３が全面、単一色に見える。つまり、左目と右目とで同じ偏光方向の偏光板を有するメガネをかけて見る者は、情報表示装置１に表示されている所望の画像を視認することができない。
【００６７】
赤色の透過光強度Ｒ＝ｓｉｎ2（α（ｔ））＋ｓｉｎ2（α（ｔ）−π／２）
＝ｓｉｎ2（α（ｔ））＋ｃｏｓ2（α（ｔ））
＝一定
緑色の透過光強度Ｇ＝ｓｉｎ2（β（ｔ）−π／２）＋ｓｉｎ2（β（ｔ））
＝ｃｏｓ2（β（ｔ））＋ｓｉｎ2（β（ｔ））
＝一定
青色の透過光強度Ｂ＝ｓｉｎ2（γ（ｔ）−π／２）＋ｓｉｎ2（γ（ｔ））
＝ｃｏｓ2（γ（ｔ））＋ｓｉｎ2（γ（ｔ））
＝一定          ・・・（２）
【００６８】
・メガネの第２の例
図８は、実施の形態にかかるメガネの第２の例の外観を示す図である。図８に示すように、メガネ２は、右目用のレンズ部５１と左目用のレンズ部５２とで偏光方向が直交するようになっている。例えば、図８に示すように、右目用のレンズ部５１の偏光方向が垂直方向であり、左目用のレンズ部５２の偏光方向が水平方向であってもよいし、この逆であってもよい。また、右目用のレンズ部５１と左目用のレンズ部５２とで偏光方向が直交する関係にあれば、水平方向と垂直方向との組み合わせに限らない。
【００６９】
また、メガネ２は、例えばスイッチ５３を有していてもよい。スイッチ５３は、メガネ２の使用者が偏光方向を切り換える色を設定する際に使用される。スイッチ５３は、例えば赤色、緑色及び青色のそれぞれについて、偏光方向を切り換える色に設定するかしないかを切り替えることができるディップスイッチであってもよい。
【００７０】
なお、スイッチ５３の代わりに、例えばＵＳＢ（Ｕｎｉｖｅｒｓａｌ  Ｓｅｒｉａｌ  Ｂｕｓ、ユニバーサルシリアルバス）やブルートゥース（登録商標）などによって情報表示装置１にメガネ２を有線または無線によって接続させることができるようになっていてもよい。情報表示装置１にメガネ２を接続した状態で使用者が情報表示装置１を操作することによって、メガネ２の偏光方向を切り換える色を設定できるようになっていてもよい。
【００７１】
また、メガネ２は、図示しないバッテリを有しており、メガネ２の後述する液晶パネルがバッテリの電力によって駆動されてもよい。あるいは、情報表示装置１及びメガネ２の使用中に、情報表示装置１からメガネ２へ例えば共鳴方式などのワイヤレス送電技術によって電力が供給されてもよい。
【００７２】
図９は、実施の形態にかかるメガネの第２の例におけるレンズ部の構成を示す図である。図９に示すように、右目用のレンズ部５１は、１／４波長板６１、透明電極アレイ６２、液晶パネル６３、透明電極６４、カラーフィルタ６５及び偏光板６６を有する。
【００７３】
１／４波長板６１は、例えばメガネ２の前面、すなわち情報表示装置１に相対峙する側の面に設けられている。１／４波長板６１は、情報表示装置１から右目用のレンズ部５１に入射する円偏光を直線偏光に変換する。
【００７４】
透明電極アレイ６２は、例えば１／４波長板６１の背面、すなわち目の側に設けられている。透明電極アレイ６２は、液晶パネル６３の例えば赤色、緑色及び青色の各サブ画素ごとに電極を有する。
【００７５】
液晶パネル６３は、例えば透明電極アレイ６２の背面に設けられている。液晶パネル６３は、各サブ画素ごとに、印加される電圧に応じて各サブ画素の液晶分子のねじれ角が変化する。それによって、１／４波長板６１を透過した光の偏光方向が液晶分子のねじれ角に応じてサブ画素ごとに回転し、１／４波長板６１を透過した光の輝度がサブ画素ごとに変化する。
【００７６】
液晶パネル６３は、例えばノーマリーホワイトのＴＮ型液晶パネルであってもよいし、ノーマリーブラックのＩＰＳ型またはＶＡ型の液晶パネルであってもよい。本実施例では、液晶パネル６３がノーマリーホワイトのＴＮ型液晶パネルであるとする。
【００７７】
透明電極６４は、例えば液晶パネル６３の背面に設けられている。透明電極６４は、例えばグランド電位にされる。透明電極６４と透明電極アレイ６２の各電極との間の電位差によって、液晶パネル６３の各サブ画素の液晶分子に電圧が印加される。透明電極アレイ６２、液晶パネル６３及び透明電極６４は、偏光制御部５の一例である。
【００７８】
カラーフィルタ６５は、例えば透明電極６４の背面に設けられている。カラーフィルタ６５は、液晶パネル６３の各サブ画素に対応した例えば赤色、緑色及び青色の着色部を有し、各着色部に対応する色のみを透過する。
【００７９】
偏光板６６は、例えばカラーフィルタ６５の背面に設けられている。偏光板６６は、カラーフィルタ６５を透過した光のうち、ある偏光方向の直線偏光を透過させる。偏光板６６が透過させる直線偏光の偏光方向は、後述する左目用のレンズ部５２における偏光板７６が透過させる直線偏光の偏光方向に対して直交している。例えば、偏光板６６は、垂直方向の直線偏光を透過させてもよい。偏光板６６は、偏光部６の一例である。なお、右目用のレンズ部５１に含まれる各要素６１〜６６の順序は、適宜変更可能である。
【００８０】
左目用のレンズ部５２は、１／４波長板７１、透明電極アレイ７２、液晶パネル７３、透明電極７４、カラーフィルタ７５及び偏光板７６を有する。１／４波長板７１、透明電極アレイ７２、液晶パネル７３、透明電極７４及びカラーフィルタ７５については、それぞれ、右目用のレンズ部５１の１／４波長板６１、透明電極アレイ６２、液晶パネル６３、透明電極６４及びカラーフィルタ６５と同様である。従って、重複する説明を省略する。透明電極アレイ７２、液晶パネル７３及び透明電極７４は、偏光制御部５の一例である。
【００８１】
偏光板７６は、例えばカラーフィルタ７５の背面に設けられている。偏光板７６は、カラーフィルタ７５を透過した光のうち、右目用のレンズ部５１における偏光板６６の偏光方向と直交する偏光方向の直線偏光を透過させる。例えば、左目用のレンズ部５２においては、偏光板７６は、水平方向の直線偏光を透過させてもよい。偏光板７６は、偏光部６の一例である。なお、左目用のレンズ部５２に含まれる各要素７１〜７６の順序は、適宜変更可能である。
【００８２】
図１０は、実施の形態にかかるメガネの第２の例におけるハードウェア構成を示す図である。図１０に示すように、メガネ２は、上述したスイッチ５３、駆動回路８１及び液晶装置８２を有していてもよい。
【００８３】
駆動回路８１は、スイッチ５３に接続されている。駆動回路８１は、スイッチ５３から出力された設定信号に基づいて、液晶装置８２を駆動する。液晶装置８２は、駆動回路８１に接続されている。液晶装置８２は、駆動回路８１から出力された駆動信号によって各色のサブ画素に印加される電圧がオンまたはオフにされることによって、各色ごとに偏光方向を制御する。液晶装置８２は、上述した透明電極アレイ６２，７２、液晶パネル６３，７３及び透明電極６４，７４を含み、偏光制御部５の一例である。
【００８４】
例えば、液晶装置８２において、駆動回路８１によって電圧が印加されない色のサブ画素では、液晶分子が９０°回転し、電圧が印加された色のサブ画素では、液晶分子が回転しないようになっていてもよい。なお、電圧が印加された色のサブ画素では、液晶分子が９０°回転し、電圧が印加されない色のサブ画素では、液晶分子が回転しないようになっていてもよい。
【００８５】
図１１は、実施の形態にかかるメガネの第２の例における機能的構成を示す図である。図１１に示すように、メガネ２は、上述した偏光制御部５、液晶駆動部９１及び偏光方向切換色設定部９２を有していてもよい。
【００８６】
偏光方向切換色設定部９２は、メガネ２の使用者からの偏光方向切換色の設定の入力に基づいて、偏光方向を切り換える色を設定する。偏光方向切換色設定部９２は、スイッチ５３によって実現されてもよい。液晶駆動部９１は、偏光方向切換色設定部９２の設定に基づいて、偏光制御部５の各透明電極アレイ６２，７２の各電極に印加する電圧をオンまたはオフに制御する。液晶駆動部９１は、駆動回路８１によって実現されてもよい。偏光制御部５は、各透明電極アレイ６２，７２の各電極に印加される電圧に応じて液晶装置８２の液晶分子が回転することによって、各色の偏光方向を制御する。
【００８７】
図１２は、実施の形態にかかるメガネの第２の例における動作を示す図である。図１２に示すように、メガネ２の使用者が例えばスイッチ５３を操作して偏光方向を切り換える色を選択すると、偏光方向切換色設定部９２は、偏光方向切換色の選択に基づいて、偏光方向を切り換える色を設定する。液晶駆動部９１は、偏光方向切換色設定部９２の設定に基づいて、偏光制御部５の各透明電極アレイ６２，７２の各電極に電圧を印加する（ステップＳ１１）。
【００８８】
それによって、印加された電圧に応じて液晶装置８２の液晶分子が回転し、各色の偏光方向が制御される。そして、メガネ２の動作が終了するが、これ以降、偏光方向を切り換える色が変更されるまで、メガネ２は、各透明電極アレイ６２，７２の各電極に印加する電圧を維持してもよい。
【００８９】
例えば、セキュリティ表示モードで動作している情報表示装置１のカラーフィルタ１３を透過した各色の光の偏光方向が上記（１）式で表される場合、メガネ２の偏光方向を切り換える色として赤色が選択されたとする。つまり、情報表示装置１で選択された輝度を反転させるサブ画素の色と、メガネ２で選択された偏光方向を切り換える色とが、同じであるとする。
【００９０】
この場合、情報表示装置１から出射してメガネ２に入射した円偏光は、メガネ２の１／４波長板６１，７１を透過すると直線偏光に変換される。それによって、１／４波長板６１，７１を透過した各色の光の偏光方向は、元の偏光方向に戻る。つまり、１／４波長板６１，７１を透過した各色の光の偏光方向は、上記（１）式で表される。
【００９１】
偏光方向を切り換える色として赤色が選択されているため、メガネ２の液晶パネル６３，７３において、例えば赤色のサブ画素では液晶分子が９０°回転し、緑色及び青色のサブ画素では液晶分子が回転しない。従って、メガネ２の液晶パネル６３，７３を透過し、カラーフィルタ６５，７５を透過した各色の光の偏光方向は、次の（３）式で表される。
【００９２】
左目用画像
赤色：α（ｔ）＋π／２
緑色：π／２−β（ｔ）
青色：π／２−γ（ｔ）
右目用画像
赤色：π−α（ｔ）
緑色：β（ｔ）
青色：γ（ｔ）          ・・・（３）
【００９３】
そして、メガネ２において、左目側の偏光板７６は水平方向の直線偏光を透過させ、右目側の偏光板６６は垂直方向の直線偏光を透過させる。そのため、偏光板６６，７６を透過した各色の光の透過光強度は、次の（４）式で表される。
【００９４】
左目
赤色の透過光強度Ｒ＝ｃｏｓ2（α（ｔ）＋π／２）
＝ｓｉｎ2（α（ｔ））
緑色の透過光強度Ｇ＝ｃｏｓ2（π／２−β（ｔ））
＝ｓｉｎ2（β（ｔ））
青色の透過光強度Ｂ＝ｃｏｓ2（π／２−γ（ｔ））
＝ｓｉｎ2（γ（ｔ））
右目
赤色の透過光強度Ｒ＝ｓｉｎ2（π−α（ｔ））
＝ｓｉｎ2（α（ｔ））
緑色の透過光強度Ｇ＝ｓｉｎ2（β（ｔ））
青色の透過光強度Ｂ＝ｓｉｎ2（γ（ｔ））          ・・・（４）
【００９５】
上記（４）式より明らかなように、右目と左目とで同じ透過光強度であり、情報表示装置１の画像データ生成部４５によって生成された画像データ通りの透過光強度となる。そのため、情報表示装置１の使用者は、メガネ２を通して、情報表示装置１に表示されている所望の画像を視認することができる。
【００９６】
・表示の見え方の第１の例
図１３は、実施の形態にかかる情報表示システムにおける表示の見え方の第１の例を示す図である。図１３に示す表は、上述した情報表示装置の第２の例とメガネの第２の例とを組み合わせた情報表示システムにおいて、情報表示装置１がセキュリティ表示モード時で、輝度を反転させるサブ画素の色及び偏光方向を切り換える色として赤色が選択された場合の表示の見え方をまとめたものである。
【００９７】
ただし、メガネ２において、左右の目で偏光板６６，７６の偏光方向が上述したメガネの第２の例とは逆になっている。すなわち、右目用のレンズ部５１の偏光板６６の偏光方向は水平方向であり、左目用のレンズ部５２の偏光板７６の偏光方向は垂直方向である。
【００９８】
図１３に示す表において、情報表示装置１の画像データ生成部４５によって生成された画像データ通りの表示である場合は、「正規」と表記されている。一方、情報表示装置１の画像データ生成部４５によって生成された画像データの輝度を反転させた表示である場合は、「輝度反転」と表記されている。
【００９９】
図１３に示すように、情報表示装置１の右目用／左目用画像データ生成部４４によって生成された左目用の画像データでは、赤色は正規の表示であり、緑色及び青色は輝度反転の表示であるとする。また、右目用の画像データでは、赤色は輝度反転の表示であり、緑色及び青色は正規の表示であるとする。
【０１００】
裸眼で見た場合には、上述したように右目及び左目の両方とも赤色、緑色及び青色の全色で全ての偏光方向の偏光が見える。図１３に示す表では、全ての偏光方向の偏光が見える状態は「全透過」と表記されている。従って、この場合には、情報表示装置１の表示部３が全面、白色の単一色表示に見える。
【０１０１】
右目及び左目の両方とも偏光板６６，７６の偏光方向が垂直方向であるメガネをかけて見た場合には、左目に関しては、例えば赤色は正規の表示であり、緑色及び青色は輝度反転の表示となる。また、右目に関しては、例えば赤色は輝度反転の表示であり、緑色及び青色は正規の表示となる。従って、この場合には、情報表示装置１の表示部３が全面、例えばグレーの単一色表示に見える。
【０１０２】
右目及び左目の両方とも偏光板６６，７６の偏光方向が水平方向であるメガネをかけて見た場合には、左目に関しては、例えば赤色は輝度反転の表示であり、緑色及び青色は正規の表示となる。また、右目に関しては、例えば赤色は正規の表示であり、緑色及び青色は輝度反転の表示となる。従って、この場合には、情報表示装置１の表示部３が全面、例えばグレーの単一色表示に見える。
【０１０３】
左目の偏光板７６の偏光方向が垂直方向であり、右目の偏光板６６の偏光方向が水平方向であるメガネをかけて見た場合には、左目に関しては、例えば赤色は正規の表示であり、緑色及び青色は輝度反転の表示となる。また、右目に関しては、例えば赤色は正規の表示であり、緑色及び青色は輝度反転の表示となる。従って、この場合には、情報表示装置１の表示部３は、例えば赤色のみが正規の表示に見え、緑色及び青色は輝度反転の表示に見える。つまり、情報表示装置１に表示されている所望の画像は見えない。
【０１０４】
左目の偏光板７６の偏光方向が垂直方向であり、右目の偏光板６６の偏光方向が水平方向であり、かつ液晶パネル６３，７３で緑色及び青色の偏光方向を９０°回転させたメガネをかけて見た場合には、右目及び左目の両方とも、例えば赤色、緑色及び青色の全色で正規の表示となる。すなわち、情報表示装置１の画像データ生成部４５によって生成された画像データ通りの表示が見えるため、情報表示装置１に表示されている所望の画像が見える。
【０１０５】
・表示の見え方の第２の例
図１４は、実施の形態にかかる情報表示システムにおける表示の見え方の第２の例を示す図である。図１４には、図１３に示す表の見え方を、日本国の国旗である日章旗、いわゆる日の丸で示した様子が示されている。図１４において、「赤」、「緑」及び「青」の表記の横に記されている上向きまたは横向きの矢印は、それぞれ偏光方向を表している。また、偏光方向を表す矢印に「×」印が付されているのは、情報表示装置１またはメガネ２によって光が遮られて、情報表示装置１及びメガネ２を透過してこないことを表している。
【０１０６】
図１４に示すように、日の丸の所望の表示状態１０１においては、丸の外側部分は、赤色、緑色及び青色の全色とも偏光方向が垂直方向であり、全色とも情報表示装置１上で白色に見える。また、丸の部分は、赤色の偏光方向が垂直方向であり、緑色及び青色の偏光方向が水平方向であるため、赤色のみが情報表示装置１上で赤色に見える。
【０１０７】
裸眼で見た場合の左目の表示状態１０２では、丸の外側部分は、例えば赤色の偏光方向が垂直方向であり、緑色及び青色の偏光方向が水平方向であるが、全ての偏光方向の偏光が情報表示装置１を透過して左目に到達するため、白色に見える。また、丸の部分は、例えば赤色、緑色及び青色の全色とも偏光方向が垂直方向であるが、全ての偏光方向の偏光が情報表示装置１を透過して左目に到達するため、白色に見える。
【０１０８】
裸眼で見た場合の右目の表示状態１０３では、丸の外側部分は、例えば赤色の偏光方向が水平方向であり、緑色及び青色の偏光方向が垂直方向であるが、全ての偏光方向の偏光が情報表示装置１を透過して右目に到達するため、白色に見える。また、丸の部分は、例えば赤色、緑色及び青色の全色とも偏光方向が水平方向であるが、全ての偏光方向の偏光が情報表示装置１を透過して左目に到達するため、白色に見える。従って、裸眼で両目で見た表示状態１０４では、全面が白色の単一色表示に見える。
【０１０９】
右目及び左目の両方とも偏光板６６，７６の偏光方向が垂直方向であるメガネをかけて見た場合の左目の表示状態１０５では、丸の外側部分は、例えば赤色の偏光方向が垂直方向であり、緑色及び青色の偏光方向が水平方向である。そのため、赤色のみがメガネを透過して左目に到達し、緑色及び青色はメガネで遮られてしまうため、赤色に見える。また、丸の部分は、例えば赤色、緑色及び青色の全色とも偏光方向が垂直方向である。そのため、全色ともメガネを透過して左目に到達するため、白色に見える。
【０１１０】
右目及び左目の両方とも偏光板６６，７６の偏光方向が垂直方向であるメガネをかけて見た場合の右目の表示状態１０６では、丸の外側部分は、例えば赤色の偏光方向が水平方向であり、緑色及び青色の偏光方向が垂直方向である。そのため、赤色はメガネで遮られ、緑色及び青色はメガネを透過して右目に到達するため、緑色と青色との混色であるシアン色に見える。また、丸の部分は、例えば赤色、緑色及び青色の全色とも偏光方向が水平方向である。そのため、全色ともメガネで遮られるため、黒色に見える。
【０１１１】
従って、右目及び左目の両方とも偏光板６６，７６の偏光方向が垂直方向であるメガネをかけて両目で見た表示状態１０７では、左右の目で補い合って丸の外側部分も丸の部分も全色が見える。しかし、丸の外側部分も丸の部分も偏光方向が垂直方向の偏光しか見えないため、全面がグレーのような暗い単一色表示に見える。
【０１１２】
右目及び左目の両方とも偏光板６６，７６の偏光方向が水平方向であるメガネをかけて見た場合の左目の表示状態１０８では、丸の外側部分は、例えば赤色の偏光方向が垂直方向であり、緑色及び青色の偏光方向が水平方向である。そのため、赤色はメガネで遮られてしまい、緑色及び青色はメガネを透過して左目に到達するため、緑色と青色との混色であるシアン色に見える。また、丸の部分は、例えば赤色、緑色及び青色の全色とも偏光方向が垂直方向である。そのため、全色ともメガネで遮られるため、黒色に見える。
【０１１３】
右目及び左目の両方とも偏光板６６，７６の偏光方向が水平方向であるメガネをかけて見た場合の右目の表示状態１０９では、丸の外側部分は、例えば赤色の偏光方向が水平方向であり、緑色及び青色の偏光方向が垂直方向である。そのため、赤色のみがメガネを透過して右目に到達し、緑色及び青色はメガネで遮られてしまうため、赤色に見える。また、丸の部分は、例えば赤色、緑色及び青色の全色とも偏光方向が水平方向である。そのため、全色ともメガネを透過して右目に到達するため、白色に見える。
【０１１４】
従って、右目及び左目の両方とも偏光板６６，７６の偏光方向が水平方向であるメガネをかけて両目で見た表示状態１１０では、左右の目で補い合って丸の外側部分も丸の部分も全色が見える。しかし、丸の外側部分も丸の部分も偏光方向が水平方向の偏光しか見えないため、全面がグレーのような暗い単一色表示に見える。
【０１１５】
左目の偏光板７６の偏光方向が垂直方向であり、右目の偏光板６６の偏光方向が水平方向であるメガネをかけて見た場合の左目の表示状態１１１では、右目及び左目の両方とも偏光板６６，７６の偏光方向が垂直方向であるメガネをかけて見た場合の左目の表示状態１０５と同じように見える。左目の偏光板７６の偏光方向が垂直方向であり、右目の偏光板６６の偏光方向が水平方向であるメガネをかけて見た場合の右目の表示状態１１２では、右目及び左目の両方とも偏光板６６，７６の偏光方向が水平方向であるメガネをかけて見た場合の右目の表示状態１０９と同じように見える。
【０１１６】
従って、左目の偏光板７６の偏光方向が垂直方向であり、右目の偏光板６６の偏光方向が水平方向であるメガネをかけて見た場合には、左右の目で同じ画像が見える。ただし、両目で見た表示状態１１３では、丸の外側部分と丸の部分とで、所望の画像の日の丸の色を逆にした表示に見える。
【０１１７】
左目の偏光板７６の偏光方向が垂直方向であり、右目の偏光板６６の偏光方向が水平方向であり、かつ液晶パネル６３，７３で緑色及び青色の偏光方向を９０°回転させたメガネをかけて見た場合の左目の表示状態１１４では、丸の外側部分は、例えば赤色、緑色及び青色の全色とも偏光方向が垂直方向である。そのため、全色ともメガネを透過して左目に到達するため、白色に見える。また、丸の部分は、例えば赤色の偏光方向が垂直方向であり、緑色及び青色の偏光方向が水平方向である。そのため、赤色のみがメガネを透過して左目に到達し、緑色及び青色はメガネで遮られてしまうため、赤色に見える。
【０１１８】
左目の偏光板７６の偏光方向が垂直方向であり、右目の偏光板６６の偏光方向が水平方向であり、かつ液晶パネル６３，７３で緑色及び青色の偏光方向を９０°回転させたメガネをかけて見た場合の右目の表示状態１１５では、丸の外側部分は、例えば赤色、緑色及び青色の全色とも偏光方向が水平方向である。そのため、全色ともメガネを透過して右目に到達するため、白色に見える。また、丸の部分は、例えば赤色の偏光方向が水平方向であり、緑色及び青色の偏光方向が垂直方向である。そのため、赤色のみがメガネを透過して右目に到達し、緑色及び青色はメガネで遮られてしまうため、赤色に見える。
【０１１９】
従って、左目の偏光板７６の偏光方向が垂直方向であり、右目の偏光板６６の偏光方向が水平方向であり、かつ液晶パネル６３，７３で緑色及び青色の偏光方向を９０°回転させたメガネをかけて見た場合には、左右の目で同じ所望の画像が見える。従って、両目で見た表示状態１１６では、日の丸が正しく見える。
【０１２０】
図４〜図７に示す情報表示装置１、図８〜図１２に示すメガネ２、及びこれらの情報表示装置１及びメガネ２を有する情報表示システムによれば、情報表示装置１で輝度を反転させるサブ画素の色と、メガネ２で偏光方向を切り換える色とが一致した場合に、メガネ２を通して左右の目で同じ画像が見える。従って、セキュリティ表示モードで動作している情報表示装置１に表示されている所望の画像を視認することができる。
【０１２１】
また、図４〜図７に示す情報表示装置１、図８〜図１２に示すメガネ２、及びこれらの情報表示装置１及びメガネ２を有する情報表示システムによれば、情報表示装置１で輝度を反転させるサブ画素の色の組み合わせは複数あり、また、メガネ２で偏光方向を切り換える色の組み合わせも複数ある。そのため、情報表示装置１の使用者以外の者が、メガネ２で偏光方向を切り換える色の組み合わせを、情報表示装置１で輝度を反転させるサブ画素の色の組み合わせに一致させるのは、困難である。従って、情報表示装置１がセキュリティ表示モードで動作しているときに、情報表示装置１の使用者以外の者がメガネ２をかけて情報表示装置１を見ても、情報表示装置１に表示されている画像を盗み見ることは困難である。つまり、秘匿性の高い情報表示システムが得られる。
【０１２２】
一方、図４〜図７に示す情報表示装置１によれば、通常表示モードでは、第２の画像表示部２７によって表示された画像が第１の画像表示部２６を透過することによって、誰でも裸眼で、情報表示装置１に表示されている画像を視認することができる。
【０１２３】
・情報表示装置の第３の例
図１５は、実施の形態にかかる情報表示装置の第３の例における表示部の構成を示す図である。図１５に示すように、表示部３は、視差バリア１１、１／４波長板１２、第２の偏光板１２１、カラーフィルタ１３、透明電極アレイ１２２、液晶パネル１２３、透明電極１６、第１の偏光板１２４、バックライト２１を有する。
【０１２４】
バックライト２１は、表示部３の背面に設けられている。バックライト２１は、例えば非偏光を表示部３の前面に向けて出射し、表示部３を背面側から照明する。
【０１２５】
第１の偏光板１２４は、例えばバックライト２１の前面に設けられている。第１の偏光板１２４は、バックライト２１から出射された光のうち、ある偏光方向の直線偏光を透過させる。第１の偏光板１２４が透過させる直線偏光の偏光方向を第１の偏光方向とする。第１の偏光板１２４は、第１の偏光部の一例である。
【０１２６】
透明電極１６は、例えば第１の偏光板１２４の前面に設けられている。透明電極１６は、例えばグランド電位にされる。
【０１２７】
液晶パネル１２３は、例えば透明電極１６の前面に設けられている。液晶パネル１２３は、各サブ画素ごとに、印加される電圧に応じて各サブ画素の液晶分子のねじれ角が変化する。それによって、第１の偏光板１２４を透過した光の偏光方向が液晶分子のねじれ角に応じてサブ画素ごとに回転し、第１の偏光板１２４を透過した光の輝度がサブ画素ごとに変化する。
【０１２８】
液晶パネル１２３は、例えばノーマリーホワイトのＴＮ型液晶パネルであってもよいし、ノーマリーブラックのＩＰＳ型液晶パネルであってもよいし、ノーマリーブラックのＶＡ型液晶パネルであってもよい。本実施例では、液晶パネル１２３がノーマリーホワイトのＴＮ型液晶パネルであるとする。
【０１２９】
透明電極アレイ１２２は、例えば液晶パネル１２３の前面に設けられている。透明電極アレイ１２２は、液晶パネル１２３の例えば赤色、緑色及び青色の各サブ画素ごとに電極を有する。透明電極アレイ１２２の各電極と透明電極１６との間の電位差によって、液晶パネル１２３の各サブ画素の液晶分子に電圧が印加され、その印加電圧に応じて液晶パネル１２３の液晶分子のねじれ角が変化する。透明電極アレイ１２２、液晶パネル１２３及び透明電極１６は、画像表示部１２６の一例である。
【０１３０】
カラーフィルタ１３は、例えば透明電極アレイ１２２の前面に設けられている。カラーフィルタ１３は、液晶パネル１２３の各サブ画素に対応した例えば赤色、緑色及び青色の着色部を有し、各着色部に対応する色のみを透過する。
【０１３１】
第２の偏光板１２１は、例えばカラーフィルタ１３の前面に設けられている。第２の偏光板１２１は、第１の偏光方向の直線偏光が透過する第１の偏光部分１２７と、第１の偏光方向に直交する第２の偏光方向の直線偏光が透過する第２の偏光部分１２８とが、走査線ごとに交互に配置された構成を有する。従って、第２の偏光板１２１は、液晶パネル１２３を透過した光のうち、第１の偏光部分１２７において第１の偏光方向の直線偏光を透過させ、第２の偏光部分１２８において第２の偏光方向の直線偏光を透過させる。
【０１３２】
図１５に示す例では、第１の偏光方向が水平方向であり、第２の偏光方向が垂直方向であるが、この逆であってもよいし、第１の偏光方向と第２の偏光方向とが直交する関係にあれば、水平方向と垂直方向との組み合わせに限らない。第２の偏光板１２１は、第２の偏光部の一例である。
【０１３３】
１／４波長板１２は、例えば第２の偏光板１２１の前面に設けられている。１／４波長板１２は、第２の偏光板１２１を透過した各偏光方向の直線偏光を円偏光に変換する。
【０１３４】
視差バリア１１は、例えば１／４波長板１２の前面で、表示部３の最も前面に設けられている。視差バリア１１については、情報表示装置の第２の例において説明した通りであるため、重複する説明を省略する。なお、表示部３に含まれる各要素１１〜１３，１６，２１，１２１〜１２４の順序は、適宜変更可能である。
【０１３５】
図１６は、実施の形態にかかる情報表示装置の第３の例におけるハードウェア構成を示す図である。図１６に示すように、情報表示装置１は、例えばＣＰＵ３２、ＤＳＰ３７及びメモリ３８がバス３９に接続された構成を有していてもよい。
【０１３６】
ＣＰＵ３２には、インタフェース３１が接続されていてもよい。ＤＳＰ３７には、駆動回路１３２が接続されていてもよい。駆動回路１３２には、液晶ディスプレイ１３１が接続されていてもよい。
【０１３７】
インタフェース３１、ＣＰＵ３２及びメモリ３８については、それぞれ、情報表示装置の第２の例において説明した通りであるため、重複する説明を省略する。ＤＳＰ３７は、液晶ディスプレイ１３１に表示する画像の画像データを生成する。ＤＳＰ３７は、生成した画像データに基づいて、駆動回路１３２に画像データを出力する。
【０１３８】
駆動回路１３２は、ＤＳＰ３７から出力された画像データに基づいて、液晶ディスプレイ１３１を駆動する。液晶ディスプレイ１３１は、駆動回路１３２から出力された駆動信号によって画像を表示する。液晶ディスプレイ１３１は、画像表示部１２６である。
【０１３９】
図１７は、実施の形態にかかる情報表示装置の第３の例における機能的構成を示す図である。図１７に示すように、情報表示装置１は、表示部３に画像表示部１２６を有し、ディスプレイ駆動部１４２を有する。また、情報表示装置１は、制御部４に例えば右目用／左目用画像データ生成部４４、水平偏光用／垂直偏光用画像データ生成部１４１及び画像データ生成部４５を有していてもよい。
【０１４０】
また、情報表示装置１は、例えば入力インタフェース部４６、表示モード設定信号生成部４７及び反転サブ画素色設定信号生成部４８を有していてもよい。入力インタフェース部４６、表示モード設定信号生成部４７及び反転サブ画素色設定信号生成部４８については、それぞれ、情報表示装置の第２の例において説明した通りであるため、重複する説明を省略する。
【０１４１】
画像データ生成部４５は、例えば表示部３に表示する画像の元になる画像データを生成する。画像データ生成部４５は、ＤＳＰ３７によって実現されてもよい。
【０１４２】
水平偏光用／垂直偏光用画像データ生成部１４１は、表示モード設定信号に基づいて、右目用／左目用画像データ生成部４４へ出力する画像データを切り替える。例えば、表示モード設定信号が通常表示モードを示す信号である場合には、水平偏光用／垂直偏光用画像データ生成部１４１は、画像データ生成部４５によって生成された画像データの輝度を反転させた画像データを生成する。
【０１４３】
そして、水平偏光用／垂直偏光用画像データ生成部１４１は、元の画像データ及びその輝度を反転させた画像データを、一方を垂直偏光用の画像データに割り当て、他方を水平偏光用の画像データに割り当てて、右目用／左目用画像データ生成部４４へ出力する。垂直偏光用の画像データによって、第２の偏光板１２１の第２の偏光部分１２８を透過する光によって第２の偏光部分１２８に対応する画像が表示される。水平偏光用の画像データによって、第２の偏光板１２１の第１の偏光部分１２７を透過する光によって第１の偏光部分１２７に対応する画像が表示される。
【０１４４】
一方、表示モード設定信号がセキュリティ表示モードを示す信号である場合には、水平偏光用／垂直偏光用画像データ生成部１４１は、画像データ生成部４５によって生成された画像データを右目用／左目用画像データ生成部４４へ出力する。水平偏光用／垂直偏光用画像データ生成部１４１は、ＤＳＰ３７によって実現されてもよい。
【０１４５】
右目用／左目用画像データ生成部４４は、表示モード設定信号に基づいて、ディスプレイ駆動部１４２へ出力する画像データを切り替える。例えば、表示モード設定信号が通常表示モードを示す信号である場合には、右目用／左目用画像データ生成部４４は、水平偏光用／垂直偏光用画像データ生成部１４１から出力された垂直偏光用の画像データ及び水平偏光用の画像データをディスプレイ駆動部１４２へ出力する。
【０１４６】
一方、表示モード設定信号がセキュリティ表示モードを示す信号である場合には、右目用／左目用画像データ生成部４４は、反転サブ画素色設定信号に基づいて、画像データ生成部４５によって生成された画像データから、右目用画像と左目用画像とで輝度が反転するように右目用の画像データと左目用の画像データとを生成する。そして、右目用／左目用画像データ生成部４４は、右目用の画像データ及び左目用の画像データをディスプレイ駆動部１４２へ出力する。右目用／左目用画像データ生成部４４は、ＤＳＰ３７によって実現されてもよい。
【０１４７】
ディスプレイ駆動部１４２は、右目用／左目用画像データ生成部４４から出力された垂直偏光用の画像データ及び水平偏光用の画像データ、または右目用の画像データ及び左目用の画像データに基づいて、画像表示部１２６に駆動信号を出力する。画像表示部１２６は、ディスプレイ駆動部１４２から出力された駆動信号に基づいて、垂直偏光用画像及び水平偏光用画像、または右目用画像及び左目用画像を表示する。
【０１４８】
垂直偏光用画像は、第２の偏光板１２１の第２の偏光部分１２８を透過した光によって表示される。水平偏光用画像は、第２の偏光板１２１の第１の偏光部分１２７を透過した光によって表示される。ディスプレイ駆動部１４２は、駆動回路１３２によって実現されてもよい。
【０１４９】
図１８は、実施の形態にかかる情報表示装置の第３の例における動作を示す図である。図１８に示すように、例えば情報表示装置１の使用者が情報表示装置１の電源をオンにするか、情報表示装置１をリセットするか、情報表示装置１の使用中に再設定を開始すると、使用者は、入力インタフェース部４６から表示モードを選択する。
【０１５０】
また、使用者は、セキュリティ表示モードを選択した場合、入力インタフェース部４６から輝度を反転させるサブ画素の色を選択する。本実施例では、セキュリティ表示モードである場合の説明において、輝度を反転させるサブ画素の色として例えば赤色が選択されたとして説明する。
【０１５１】
使用者によって選択された表示モードが通常表示モードである場合（ステップＳ２１：通常表示モード）、表示モード設定信号生成部４７は、通常表示モードを示す表示モード設定信号を生成する。それによって、水平偏光用／垂直偏光用画像データ生成部１４１及び右目用／左目用画像データ生成部４４が通常表示モードに設定される（ステップＳ２２）。
【０１５２】
そして、水平偏光用／垂直偏光用画像データ生成部１４１は、画像データ生成部４５によって生成された画像データの輝度を反転させた画像データを生成する（ステップＳ２３）。図１８では、画像データ生成部４５によって生成された画像データの輝度を反転させた画像データは、「反転画像データ」と表記されている。
【０１５３】
次いで、水平偏光用／垂直偏光用画像データ生成部１４１は、画像データ生成部４５によって生成された元の画像データ及びその輝度を反転させた反転画像データを、一方を垂直偏光用の画像データに割り当て、他方を水平偏光用の画像データに割り当てる（ステップＳ２４）。
【０１５４】
例えば、元の画像データが垂直偏光用の画像データに割り当てられ、反転画像データが水平偏光用の画像データに割り当てられてもよい。そして、水平偏光用／垂直偏光用画像データ生成部１４１は、垂直偏光用の画像データ及び水平偏光用の画像データを右目用／左目用画像データ生成部４４へ出力する。
【０１５５】
次いで、右目用／左目用画像データ生成部４４は、水平偏光用／垂直偏光用画像データ生成部１４１から出力された垂直偏光用の画像データ及び水平偏光用の画像データを、そのまま、右目用の画像データ及び左目用の画像データとして、ディスプレイ駆動部１４２へ出力する（ステップＳ２５）。
【０１５６】
後述するように、右目用の画像データと左目用の画像データとが同じであるため、第２の偏光板１２１を透過した右目用画像と左目用画像とで光の透過光強度が同じになる。また、第２の偏光板１２１の第２の偏光部分１２８を透過した光の透過光強度と、第１の偏光部分１２７を透過した光の透過光強度とが同じになる。
【０１５７】
そして、情報表示装置１は、一連の動作を終了する。これ以降、表示モードがセキュリティ表示モードに切り替えられるまで、情報表示装置１は通常表示モードを維持してもよい。通常表示モードでは、右目用画像と左目用画像とで光の透過光強度が同じであり、かつ、偏光方向が垂直方向の直線偏光と偏光方向が水平方向の直線偏光とで光の透過光強度が同じであるため、情報表示装置１の使用者は、裸眼で視差バリア１１を通して表示部３に表示されている所望の画像を視認することができる。
【０１５８】
一方、セキュリティ表示モードが選択された場合（ステップＳ２１：セキュリティ表示モード）、表示モード設定信号生成部４７は、セキュリティ表示モードを示す表示モード設定信号を生成する。それによって、水平偏光用／垂直偏光用画像データ生成部１４１及び右目用／左目用画像データ生成部４４がセキュリティ表示モードに設定される（ステップＳ２６）。
【０１５９】
そして、水平偏光用／垂直偏光用画像データ生成部１４１は、画像データ生成部４５によって生成された画像データを、そのまま、垂直偏光用の画像データ及び水平偏光用の画像データとして、右目用／左目用画像データ生成部４４へ出力する（ステップＳ２７）。
【０１６０】
次いで、右目用／左目用画像データ生成部４４は、反転サブ画素色設定信号に基づいて、画像データ生成部４５によって生成された画像データから、右目用画像と左目用画像とで輝度が反転するように右目用の画像データと左目用の画像データとを生成する（ステップＳ２８）。
【０１６１】
例えば、輝度を反転させるサブ画素の色として赤色が選択された場合、右目用の画像データでは、赤色のサブ画素の輝度が反転し、緑色及び青色のサブ画素の輝度は反転しない。また、左目用の画像データでは、緑色及び青色のサブ画素の輝度が反転し、赤色のサブ画素の輝度は反転しない。
【０１６２】
次いで、右目用／左目用画像データ生成部４４は、生成した右目用の画像データと左目用の画像データとをディスプレイ駆動部１４２へ出力する（ステップＳ２９）。それによって、第２の偏光板１２１の第２の偏光部分１２８を透過した光と、第１の偏光部分１２７を透過した光とで輝度が反転した関係になるため、打ち消しあう。
【０１６３】
そして、情報表示装置１は、一連の動作を終了する。これ以降、表示モードが通常表示モードに切り替えられるまで、情報表示装置１はセキュリティ表示モードを維持してもよい。
【０１６４】
通常表示モードにおいて、画像データ生成部４５によって生成された画像データが垂直偏光用の画像データに割り当てられ、反転画像データが水平偏光用の画像データに割り当てられるとする。この場合、カラーフィルタ１３を透過した各色の光の偏光方向は、次の（５）式で表される。
【０１６５】
左目用画像及び右目用画像の垂直偏光用画像
赤色：α（ｔ）
緑色：β（ｔ）
青色：γ（ｔ）
左目用画像及び右目用画像の水平偏光用画像
赤色：π／２−α（ｔ）
緑色：π／２−β（ｔ）
青色：π／２−γ（ｔ）          ・・・（５）
【０１６６】
通常表示モードにおいて、上記（５）式で表される偏光方向を有する各光が第２の偏光板１２１を透過した場合の透過光強度は、次の（６）式で表される。
【０１６７】
左目用画像及び右目用画像の垂直偏光用画像
赤色の透過光強度Ｒｖ＝ｓｉｎ2（α（ｔ））
緑色の透過光強度Ｇｖ＝ｓｉｎ2（β（ｔ））
青色の透過光強度Ｂｖ＝ｓｉｎ2（γ（ｔ））
左目用画像及び右目用画像の水平偏光用画像
赤色の透過光強度Ｒｈ＝ｃｏｓ2（π／２−α（ｔ））
＝ｓｉｎ2（α（ｔ））
緑色の透過光強度Ｇｈ＝ｃｏｓ2（π／２−β（ｔ））
＝ｓｉｎ2（β（ｔ））
青色の透過光強度Ｂｈ＝ｃｏｓ2（π／２−γ（ｔ））
＝ｓｉｎ2（γ（ｔ））          ・・・（６）
【０１６８】
（６）式から明らかなように、右目用画像と左目用画像とが元の画像データ通りの同じ透過光強度であり、かつ、垂直偏光用画像と水平偏光用画像とが元の画像データ通りの同じ透過光強度である。従って、情報表示装置１の使用者は、裸眼で視差バリア１１を通して表示部３に表示されている所望の画像を視認することができる。
【０１６９】
セキュリティ表示モードにおいて、輝度を反転させるサブ画素の色として例えば赤色が選択された場合、カラーフィルタ１３を透過した各色の光の偏光方向は、次の（７）式で表される。
【０１７０】
左目用画像の垂直偏光用画像及び水平偏光用画像
赤色：α（ｔ）
緑色：π／２−β（ｔ）
青色：π／２−γ（ｔ）
右目用画像の垂直偏光用画像及び水平偏光用画像
赤色：π／２−α（ｔ）
緑色：β（ｔ）
青色：γ（ｔ）          ・・・（７）
【０１７１】
セキュリティ表示モードにおいて、上記（７）式で表される偏光方向を有する各光が第２の偏光板１２１を透過した場合の透過光強度は、次の（８）式で表される。
【０１７２】
左目用画像の垂直偏光用画像
赤色の透過光強度Ｒｖ＝ｓｉｎ2（α（ｔ））
緑色の透過光強度Ｇｖ＝ｓｉｎ2（π／２−β（ｔ））
＝ｃｏｓ2（β（ｔ））
青色の透過光強度Ｂｖ＝ｓｉｎ2（π／２−γ（ｔ））
＝ｃｏｓ2（γ（ｔ））
左目用画像の水平偏光用画像
赤色の透過光強度Ｒｈ＝ｃｏｓ2（α（ｔ））
緑色の透過光強度Ｇｈ＝ｃｏｓ2（π／２−β（ｔ））
＝ｓｉｎ2（β（ｔ））
青色の透過光強度Ｂｈ＝ｃｏｓ2（π／２−γ（ｔ））
＝ｓｉｎ2（γ（ｔ））
右目用画像の垂直偏光用画像
赤色の透過光強度Ｒｖ＝ｓｉｎ2（π／２−α（ｔ））
＝ｃｏｓ2（α（ｔ））
緑色の透過光強度Ｇｖ＝ｓｉｎ2（β（ｔ））
青色の透過光強度Ｂｖ＝ｓｉｎ2（γ（ｔ））
右目用画像の水平偏光用画像
赤色の透過光強度Ｒｈ＝ｃｏｓ2（π／２−α（ｔ））
＝ｓｉｎ2（α（ｔ））
緑色の透過光強度Ｇｈ＝ｃｏｓ2（β（ｔ））
青色の透過光強度Ｂｈ＝ｃｏｓ2（γ（ｔ））          ・・・（８）
【０１７３】
（８）式から明らかなように、第２の偏光板１２１の第２の偏光部分１２８を透過した垂直偏光用画像の光と、第１の偏光部分１２７を透過した水平偏光用画像の光とで輝度が反転した関係になるため、打ち消しあう。それによって、表示部３が全面、単一色に見える。裸眼で見る者は、情報表示装置１に表示されている所望の画像を視認することができない。
【０１７４】
また、セキュリティ表示モードで動作している情報表示装置１の表示部３を見る者が、左目と右目とで同じ偏光方向の偏光板を有するメガネをかけて見ると、左目が視認する画像と右目が視認する画像とで輝度が反転した画像となるため、打ち消しあう。それによって、上述した（８）式に基づいて次の（９）式で導かれるように、赤色、緑色及び青色の透過光強度が一定となる。従って、表示部３が全面、単一色に見える。つまり、左目と右目とで同じ偏光方向の偏光板を有するメガネをかけて見る者は、情報表示装置１に表示されている所望の画像を視認することができない。
【０１７５】
赤色の透過光強度Ｒ＝ｓｉｎ2（α（ｔ））＋ｃｏｓ2（α（ｔ））
＝一定
緑色の透過光強度Ｇ＝ｃｏｓ2（β（ｔ））＋ｓｉｎ2（β（ｔ））
＝一定
青色の透過光強度Ｂ＝ｃｏｓ2（γ（ｔ））＋ｓｉｎ2（γ（ｔ））
＝一定          ・・・（９）
【０１７６】
例えば、セキュリティ表示モードで動作している情報表示装置１のカラーフィルタ１３を透過した各色の光の偏光方向が上記（７）式で表される場合、メガネ２の偏光方向を切り換える色として、情報表示装置１で選択された輝度を反転させるサブ画素の色と同じ赤色が選択されたとする。
【０１７７】
この場合、情報表示装置１から出射してメガネ２に入射した円偏光は、メガネ２の１／４波長板６１，７１を透過すると直線偏光に変換される。それによって、１／４波長板６１，７１を透過した各色の光の偏光方向は、元の偏光方向に戻る。つまり、１／４波長板６１，７１を透過した各色の光の偏光方向は、上記（７）式で表される。また、１／４波長板６１，７１を透過した各色の光の透過光強度は、上記（８）式で表される。
【０１７８】
偏光方向を切り換える色として赤色が選択されているため、メガネ２の液晶パネル６３，７３において、例えば赤色のサブ画素では液晶分子が９０°回転し、緑色及び青色のサブ画素では液晶分子が回転しない。従って、メガネ２の液晶パネル６３，７３を透過し、カラーフィルタ６５，７５を透過した各色の光の偏光方向は、それぞれ次のようになる。
【０１７９】
左目用画像及び右目用画像のそれぞれにおいて、垂直偏光用画像の赤色の光の偏光方向は水平方向となり、垂直偏光用画像の緑色及び青色の光の偏光方向は垂直方向のままである。左目用画像及び右目用画像のそれぞれにおいて、水平偏光用画像の赤色の光の偏光方向は垂直方向となり、水平偏光用画像の緑色及び青色の光の偏光方向は水平方向のままである。
【０１８０】
そして、メガネ２において、左目側の偏光板７６は水平方向の直線偏光を透過させる。そのため、左目用画像において、偏光方向が水平方向である赤色の光は、左目側の偏光板７６を透過するが、偏光方向が垂直方向である緑色及び青色の光は、左目側の偏光板７６で遮られる。従って、左目側については、左目側の偏光板７６を透過した光の透過光強度は、上記（８）式で表される各色の光の透過光強度のうち、垂直偏光用画像の赤色の透過光強度Ｒｖと水平偏光用画像の緑色の透過光強度Ｇｈと水平偏光用画像の青色の透過光強度Ｂｈとなる。
【０１８１】
また、メガネ２において、右目側の偏光板６６は垂直方向の直線偏光を透過させる。そのため、右目用画像において、偏光方向が垂直方向である緑色及び青色の光は、右目側の偏光板６６を透過するが、偏光方向が水平方向である赤色の光は、右目側の偏光板６６で遮られる。従って、右目側については、右目側の偏光板６６を透過した光の透過光強度は、上記（８）式で表される各色の光の透過光強度のうち、水平偏光用画像の赤色の透過光強度Ｒｈと垂直偏光用画像の緑色の透過光強度Ｇｖと水平偏光用画像の青色の透過光強度Ｂｖとなる。つまり、偏光板６６，７６を透過した各色の光の透過光強度は、次の（１０）式で表される。
【０１８２】
左目用画像の垂直偏光用画像
赤色の透過光強度Ｒｖ＝ｓｉｎ2（α（ｔ））
緑色の透過光強度Ｇｖ＝０
青色の透過光強度Ｂｖ＝０
左目用画像の水平偏光用画像
赤色の透過光強度Ｒｈ＝０
緑色の透過光強度Ｇｈ＝ｓｉｎ2（β（ｔ））
青色の透過光強度Ｂｈ＝ｓｉｎ2（γ（ｔ））
右目用画像の垂直偏光用画像
赤色の透過光強度Ｒｖ＝０
緑色の透過光強度Ｇｖ＝ｓｉｎ2（β（ｔ））
青色の透過光強度Ｂｖ＝ｓｉｎ2（γ（ｔ））
右目用画像の水平偏光用画像
赤色の透過光強度Ｒｈ＝ｓｉｎ2（α（ｔ））
緑色の透過光強度Ｇｈ＝０
青色の透過光強度Ｂｈ＝０          ・・・（１０）
【０１８３】
上記（１０）式より明らかなように、右目と左目とで輝度が反転された画像がメガネ２によって遮断され、所望の画像のみがメガネ２を透過して使用者の目に達する。そのため、情報表示装置１の使用者は、メガネ２を通して、情報表示装置１に表示されている所望の画像を視認することができる。
【０１８４】
・表示の見え方の第３の例
図１９は、実施の形態にかかる情報表示システムにおける表示の見え方の第３の例を示す図である。図１９に示す表は、上述した情報表示装置の第３の例とメガネの第２の例とを組み合わせた情報表示システムにおいて、情報表示装置１がセキュリティ表示モード時で、輝度を反転させるサブ画素の色及び偏光方向を切り換える色として赤色が選択された場合の表示の見え方をまとめたものである。
【０１８５】
ただし、メガネ２において、左右の目で偏光板６６，７６の偏光方向が上述したメガネの第２の例とは逆になっている。すなわち、右目用のレンズ部５１の偏光板６６の偏光方向は水平方向であり、左目用のレンズ部５２の偏光板７６の偏光方向は垂直方向である。
【０１８６】
図１９に示す表において、情報表示装置１の画像データ生成部４５によって生成された画像データ通りの表示である場合は、「正規」と表記されている。一方、情報表示装置１の画像データ生成部４５によって生成された画像データの輝度を反転させた表示である場合は、「輝度反転」と表記されている。
【０１８７】
図１９に示すように、情報表示装置１の右目用／左目用画像データ生成部４４によって生成された左目用の画像データでは、赤色は正規の表示であり、緑色及び青色は輝度反転の表示であるとする。また、右目用の画像データでは、赤色は輝度反転の表示であり、緑色及び青色は正規の表示であるとする。
【０１８８】
裸眼で見た場合には、上記（８）式から明らかなように、左目の垂直偏光用画像に関しては、例えば赤色は正規の表示であり、緑色及び青色は輝度反転の表示となる。左目の水平偏光用画像に関しては、例えば赤色は輝度反転の表示であり、緑色及び青色は正規の表示となる。
【０１８９】
また、右目の垂直偏光用画像に関しては、例えば赤色は輝度反転の表示であり、緑色及び青色は正規の表示となる。右目の水平偏光用画像に関しては、例えば赤色は正規の表示であり、緑色及び青色は輝度反転の表示となる。従って、この場合には、左目用画像と右目用画像とで輝度が反転した関係となり、かつ、垂直偏光用画像と水平偏光用画像とで輝度が反転した関係となるため、情報表示装置１の表示部３が全面、例えばグレーの単一色表示に見える。
【０１９０】
右目及び左目の両方とも偏光板６６，７６の偏光方向が垂直方向であるメガネをかけて見た場合には、左目の垂直偏光用画像に関しては、例えば赤色は正規の表示であり、緑色及び青色は輝度反転の表示となる。右目の垂直偏光用画像に関しては、例えば赤色は輝度反転の表示であり、緑色及び青色は正規の表示となる。
【０１９１】
左目及び右目のいずれも、水平偏光用画像に関しては、偏光方向が垂直方向である偏光板によって光が遮られるため、赤色、緑色及び青色のいずれも黒色の表示となる。従って、この場合には、左目用画像と右目用画像とで、垂直偏光用画像は、輝度が反転した関係となり、かつ、水平偏光用画像が黒色の表示となるため、情報表示装置１の表示部３が全面、例えばグレーの単一色表示に見える。
【０１９２】
右目及び左目の両方とも偏光板６６，７６の偏光方向が水平方向であるメガネをかけて見た場合には、左目及び右目のいずれも、垂直偏光用画像に関しては、偏光方向が水平方向である偏光板によって光が遮られるため、赤色、緑色及び青色のいずれも黒色の表示となる。左目の水平偏光用画像に関しては、例えば赤色は輝度反転の表示であり、緑色及び青色は正規の表示となる。
【０１９３】
右目の水平偏光用画像に関しては、例えば赤色は正規の表示であり、緑色及び青色は輝度反転の表示となる。従って、この場合には、左目用画像と右目用画像とで、水平偏光用画像は、輝度が反転した関係となり、かつ、垂直偏光用画像が黒色の表示となるため、情報表示装置１の表示部３が全面、例えばグレーの単一色表示に見える。
【０１９４】
左目の偏光板７６の偏光方向が垂直方向であり、右目の偏光板６６の偏光方向が水平方向であるメガネをかけて見た場合には、左目の垂直偏光用画像に関しては、例えば赤色は正規の表示であり、緑色及び青色は輝度反転の表示となる。左目の水平偏光用画像に関しては、偏光方向が垂直方向である偏光板によって光が遮られるため、赤色、緑色及び青色のいずれも黒色の表示となる。
【０１９５】
また、右目の垂直偏光用画像に関しては、偏光方向が水平方向である偏光板によって光が遮られるため、赤色、緑色及び青色のいずれも黒色の表示となる。右目の水平偏光用画像に関しては、例えば赤色は正規の表示であり、緑色及び青色は輝度反転の表示となる。従って、この場合には、情報表示装置１の表示部３は、例えば赤色のみが正規の表示に見え、緑色及び青色は輝度反転の表示に見える。つまり、情報表示装置１に表示されている所望の画像は見えない。
【０１９６】
左目の偏光板７６の偏光方向が垂直方向であり、右目の偏光板６６の偏光方向が水平方向であり、かつ液晶パネル６３，７３で緑色及び青色の偏光方向を９０°回転させたメガネをかけて見た場合には、左目の垂直偏光用画像に関しては、例えば赤色は正規の表示であり、緑色及び青色は黒色の表示となる。左目の水平偏光用画像に関しては、例えば赤色は黒色の表示であり、緑色及び青色は正規の表示となる。
【０１９７】
また、右目の垂直偏光用画像に関しては、例えば赤色は黒色の表示であり、緑色及び青色は正規の表示となる。右目の水平偏光用画像に関しては、例えば赤色は正規の表示であり、緑色及び青色は黒色の表示となる。従って、この場合には、右目及び左目において輝度が反転された画像がメガネ２によって遮断され、所望の画像のみがメガネ２を透過して使用者の目に達するため、情報表示装置１に表示されている所望の画像が見える。
【０１９８】
図１５〜図１８に示す情報表示装置１、図８〜図１２に示すメガネ２、及びこれらの情報表示装置１及びメガネ２を有する情報表示システムによれば、情報表示装置１で輝度を反転させるサブ画素の色と、メガネ２で偏光方向を切り換える色とが一致した場合に、輝度が反転された画像がメガネ２によって遮断される。そして、所望の画像のみがメガネ２を透過して使用者の目に達する。従って、セキュリティ表示モードで動作している情報表示装置１に表示されている所望の画像を視認することができる。
【０１９９】
また、図１５〜図１８に示す情報表示装置１、図８〜図１２に示すメガネ２、及びこれらの情報表示装置１及びメガネ２を有する情報表示システムによれば、図４〜図７に示す情報表示装置１及び図８〜図１２に示すメガネ２を有する情報表示システムと同様に、秘匿性の高い情報表示システムが得られる。
【０２００】
一方、図１５〜図１８に示す情報表示装置１によれば、通常表示モードでは、右目用画像と左目用画像とが元の画像データ通りの同じ透過光強度となり、かつ、垂直偏光用画像と水平偏光用画像とが元の画像データ通りの同じ透過光強度となる。そのため、誰でも裸眼で、情報表示装置１に表示されている画像を視認することができる。
【０２０１】
なお、情報表示装置１及びメガネ２において１／４波長板がなくてもよい。
【０２０２】
上述した各実施例を含む実施の形態に関し、さらに以下の付記を開示する。
【０２０３】
（付記１）視差バリア方式によって左目が視認する左目用画像及び右目が視認する右目用画像を、輝度が反転した関係、または、直線偏光の場合には偏光方向が直交もしくは円偏光の場合には回転方向が逆になるように表示する情報表示装置と、左目が視認する画像と右目が視認する画像とで、直線偏光の場合には偏光方向が直交もしくは円偏光の場合には回転方向が逆であり、かつ、各色ごとに偏光方向を制御するメガネと、を備えることを特徴とする情報表示システム。
【０２０４】
（付記２）前記情報表示装置は、第１の偏光方向の直線偏光が透過する第１の偏光部と、前記第１の偏光部を透過した光の輝度を各色ごとに調整可能な第１の画像表示部と、前記第１の画像表示部に前記左目用画像及び前記右目用画像を輝度が反転した関係になるように表示させる制御部と、を備えることを特徴とする付記１に記載の情報表示システム。
【０２０５】
（付記３）前記情報表示装置は、前記第１の偏光方向に直交する第２の偏光方向の直線偏光が透過する第２の偏光部と、前記第２の偏光部と前記第１の偏光部との間に配置され、かつ、前記第２の偏光部を透過した光の輝度を各色ごとに調整可能な第２の画像表示部と、をさらに備え、前記制御部は、第１の表示モード時には、前記第１の画像表示部に全光を透過させ、かつ、前記第２の画像表示部に前記左目用画像及び前記右目用画像を同じ画像になるように表示させ、第２の表示モード時には、前記第２の画像表示部に全光を透過させ、かつ、前記第１の画像表示部に前記左目用画像及び前記右目用画像を輝度が反転した関係になるように表示させることを特徴とする付記２に記載の情報表示システム。
【０２０６】
（付記４）前記情報表示装置は、第１の偏光方向の直線偏光が透過する第１の偏光部と、前記第１の偏光方向の直線偏光が透過する第１の偏光部分と前記第１の偏光方向に直交する第２の偏光方向の直線偏光が透過する第２の偏光部分とが走査線ごとに交互に配置された第２の偏光部と、前記第１の偏光部と前記第２の偏光部との間に配置され、かつ、前記第１の偏光部を透過した光の輝度を各色ごとに調整可能な画像表示部と、前記画像表示部に、前記左目用画像及び前記右目用画像を、直線偏光の場合には偏光方向が直交もしくは円偏光の場合には回転方向が逆になり、かつ、前記左目用画像及び前記右目用画像のそれぞれにおいて前記第１の偏光部分を透過した光及び前記第２の偏光部分を透過した光を輝度が反転した関係になるように表示させる制御部と、を備えることを特徴とする付記１に記載の情報表示システム。
【０２０７】
（付記５）前記制御部は、前記画像表示部に、前記左目用画像及び前記右目用画像を同じ画像になり、かつ、前記左目用画像及び前記右目用画像のそれぞれにおいて前記第１の偏光部分を透過した光及び前記第２の偏光部分を透過した光の強度が同じになるように表示させることを特徴とする付記４に記載の情報表示システム。
【０２０８】
（付記６）視差バリア方式によって左目が視認する左目用画像及び右目が視認する右目用画像を表示する表示部と、前記表示部に、前記左目用画像及び前記右目用画像を、輝度が反転した関係、または、直線偏光の場合には偏光方向が直交もしくは円偏光の場合には回転方向が逆になるように表示させる制御部と、を備えることを特徴とする情報表示装置。
【０２０９】
（付記７）前記表示部は、第１の偏光方向の直線偏光が透過する第１の偏光部と、前記第１の偏光部を透過した光の輝度を各色ごとに調整可能な第１の画像表示部と、を備え、前記制御部は、前記第１の画像表示部に前記左目用画像及び前記右目用画像を輝度が反転した関係になるように表示させることを特徴とする付記６に記載の情報表示装置。
【０２１０】
（付記８）前記表示部は、前記第１の偏光方向に直交する第２の偏光方向の直線偏光が透過する第２の偏光部と、前記第２の偏光部と前記第１の偏光部との間に配置され、かつ、前記第２の偏光部を透過した光の輝度を各色ごとに調整可能な第２の画像表示部と、をさらに備え、前記制御部は、第１の表示モード時には、前記第１の画像表示部に全光を透過させ、かつ、前記第２の画像表示部に前記左目用画像及び前記右目用画像を同じ画像になるように表示させ、第２の表示モード時には、前記第２の画像表示部に全光を透過させ、かつ、前記第１の画像表示部に前記左目用画像及び前記右目用画像を輝度が反転した関係になるように表示させることを特徴とする付記７に記載の情報表示装置。
【０２１１】
（付記９）前記表示部は、第１の偏光方向の直線偏光が透過する第１の偏光部と、前記第１の偏光方向の直線偏光が透過する第１の偏光部分と前記第１の偏光方向に直交する第２の偏光方向の直線偏光が透過する第２の偏光部分とが走査線ごとに交互に配置された第２の偏光部と、前記第１の偏光部と前記第２の偏光部との間に配置され、かつ、前記第１の偏光部を透過した光の輝度を各色ごとに調整可能な画像表示部と、前記画像表示部に、前記左目用画像及び前記右目用画像を、直線偏光の場合には偏光方向が直交もしくは円偏光の場合には回転方向が逆になり、かつ、前記左目用画像及び前記右目用画像のそれぞれにおいて前記第１の偏光部分を透過した光及び前記第２の偏光部分を透過した光を輝度が反転した関係になるように表示させる制御部と、を備えることを特徴とする付記６に記載の情報表示装置。
【０２１２】
（付記１０）前記制御部は、前記画像表示部に、前記左目用画像及び前記右目用画像を同じ画像になり、かつ、前記左目用画像及び前記右目用画像のそれぞれにおいて前記第１の偏光部分を透過した光及び前記第２の偏光部分を透過した光の強度が同じになるように表示させることを特徴とする付記９に記載の情報表示装置。
【０２１３】
（付記１１）左目が視認する画像と右目が視認する画像とで、直線偏光の場合には偏光方向を直交もしくは円偏光の場合には回転方向を逆にする偏光部と、各色ごとに偏光方向を制御する偏光制御部と、を備えることを特徴とするメガネ。
【符号の説明】
【０２１４】
１  情報表示装置
２  メガネ
３  表示部
４  制御部
５  偏光制御部
６  偏光部
１７  第１の偏光板
２０  第２の偏光板
２６  第１の画像表示部
２７  第２の画像表示部
１２１  第２の偏光板
１２４  第１の偏光板
１２６  画像表示部
１２７  第１の偏光部分
１２８  第２の偏光部分
【図１】
2015118191.tif 000003
【図２】
2015118191.tif 000004
【図３】
2015118191.tif 000005
【図４】
2015118191.tif 000006
【図５】
2015118191.tif 000007
【図６】
2015118191.tif 000008
【図７】
2015118191.tif 000009
【図８】
2015118191.tif 000010
【図９】
2015118191.tif 000011
【図１０】
2015118191.tif 000012
【図１１】
2015118191.tif 000013
【図１２】
2015118191.tif 000014
【図１３】
2015118191.tif 000015
【図１４】
2015118191.tif 000016
【図１５】
2015118191.tif 000017
【図１６】
2015118191.tif 000018
【図１７】
2015118191.tif 000019
【図１８】
2015118191.tif 000020
【図１９】
2015118191.tif 000021